(57)【要約】【課題】画質調整処理の内容を自動的に適切に設定することが容易となる画像表示装置を提供する。【解決手段】取得した画像情報を表示する画像表示装置において、画像情報および該画像情報に対応したＥｘｉｆ情報を、ＨＤＭＩ通信によって外部機器から取得する情報取得部と、前記画像情報の表示に関わる画質調整処理を行う調整部と、前記Ｅｘｉｆ情報に基づいて、前記画質調整処理の内容を設定する設定部と、を備えた画像表示装置とする。【選択図】図３
2010278530.tif 000002
【特許請求の範囲】
【請求項１】
取得した画像情報を表示する画像表示装置において、
画像情報および該画像情報に対応したＥｘｉｆ情報を、ＨＤＭＩ通信によって外部機器から取得する情報取得部と、
前記画像情報の表示に関わる画質調整処理を行う調整部と、
前記Ｅｘｉｆ情報に基づいて、前記画質調整処理の内容を設定する設定部と、
を備えたことを特徴とする画像表示装置。
【請求項２】
前記調整部は、
前記画質調整処理として、前記画像情報に補正を施してノイズを低減させるノイズリダクション処理を行うものであり、
前記設定部は、
前記Ｅｘｉｆ情報に含まれるＩＳＯ感度の情報に基づいて、前記ノイズリダクション処理における補正の度合を設定することを特徴とする請求項１に記載の画像表示装置。
【請求項３】
前記設定部は、
前記画像情報が動画と静止画の何れであるかを判別し、この判別結果にも基づいて、前記ノイズリダクション処理における補正の度合を設定することを特徴とする請求項２に記載の画像表示装置。
【請求項４】
前記調整部は、
前記画質調整処理として、前記画像情報の表示におけるホワイトバランス調整の処理を実行するものであり、
前記設定部は、
前記Ｅｘｉｆ情報に含まれる撮影光源の情報に基づいて、前記ホワイトバランス調整における補正の度合を設定することを特徴とする請求項１から請求項３の何れかに記載の画像表示装置。
【請求項５】
自機周辺の明るさを複数色ごとに検出する検出部を備えており、
前記調整部は、
前記画質調整処理として、前記画像情報の表示におけるホワイトバランス調整の処理を実行するものであり、
前記設定部は、
前記検出部の検出結果に基づいて、前記ホワイトバランス調整における補正の度合を設定することを特徴とする請求項２または請求項３に記載の画像表示装置。
【請求項６】
自機周辺の明るさを複数色ごとに検出する検出部を備えており、
前記調整部は、
前記画像情報の表示における色温度調整の処理を実行するものであり、
前記設定部は、
前記Ｅｘｉｆ情報に含まれる撮影光源の情報、および前記検出部の検出結果に基づいて、前記色温度調整における補正の度合を設定することを特徴とする請求項１から請求項５の何れかに記載の画像表示装置。
【発明の詳細な説明】
【技術分野】
【０００１】
本発明は、画質の調整機能を有する画像表示装置に関する。
【背景技術】
【０００２】
従来、デジタルビデオカメラ等の外部機器との接続が可能であるとともに、外部機器から伝送された画像情報（動画あるいは静止画の情報）を表示させる画像表示装置が、広く使用されている。
【０００３】
またこのような画像表示装置においては、画像のノイズを低減させるためのノイズリダクション処理を実行する機能、およびホワイトバランスや色温度の調整処理を実行する機能など、画質調整処理を行う機能が設けられている場合もある。これらの機能が設けられていれば、ユーザにとっては、より良い画像を閲覧することができるために好都合である。
【先行技術文献】
【特許文献】
【０００４】
【特許文献１】特開２００８−１９３６０５号公報
【特許文献２】特開２００７−１４１５６３号公報
【特許文献３】特開平０４−０７８０６６号公報
【発明の概要】
【発明が解決しようとする課題】
【０００５】
先述したように、ノイズリダクション処理は、画像のノイズを低減させるために有効である。しかしノイズリダクション処理は、元の画像に何らかの処理を加えることになるため、必要以上に実行されると、元の画像を忠実に再現させることが難しくなる。そのためノイズリダクション処理のＯＮ／ＯＦＦの切替、或いは、補正の度合（ノイズリダクション量）は、画像のノイズ量に応じて決定されることが望ましい。
【０００６】
また、ホワイトバランスや色温度は、画像が撮影されたときの光源や、画像の視聴環境における光源の種類によって、望ましい状態（例えば、視聴者に違和感を与えない状態）が異なる。そのためホワイトバランスや色温度の調整処理においては、画像が撮影されたときの光源（撮影光源）や、画像の視聴環境における光源（視聴光源）の種類に応じて、目標値（どのように調整するか）が適切に設定されることが望ましい。
【０００７】
なお、上述したような画質調整処理の内容の設定（ＯＮ／ＯＦＦの切替や目標値の設定など）がユーザに要求されると、ユーザにとっては面倒である。そのためこのような設定は、画像表示装置において、自動的に実行されるようになっていることが望ましい。
【０００８】
本発明は、上述した問題点に鑑みて、画質調整処理の内容を自動的に適切に設定することが容易となる画像表示装置の提供を目的とする。
【課題を解決するための手段】
【０００９】
上記目的を達成するため、本発明に係る画像表示装置は、取得した画像情報を表示する画像表示装置において、画像情報および該画像情報に対応したＥｘｉｆ情報を、ＨＤＭＩ通信によって外部機器から取得する情報取得部と、前記画像情報の表示に関わる画質調整処理を行う調整部と、前記Ｅｘｉｆ情報に基づいて、前記画質調整処理の内容を設定する設定部と、を備えた構成とする。
【００１０】
本構成によれば、画像情報を表示するにあたり、その画像情報についてのＥｘｉｆ情報に基づいて、画質の調整処理が実行される。そのため、Ｅｘｉｆ情報が利用されない場合に比べて、画質調整処理の内容を自動的に適切に設定することが容易となる。なお、画質調整処理の例としては、ノイズリダクション処理、ホワイトバランス調整の処理、および色温度調整の処理などが挙げられる。
【００１１】
また上記構成において、前記調整部は、前記画質調整処理として、前記画像情報に補正を施してノイズを低減させるノイズリダクション処理を行うものであり、前記設定部は、前記Ｅｘｉｆ情報に含まれるＩＳＯ感度の情報に基づいて、前記ノイズリダクション処理における補正の度合を設定する構成としてもよい。
【００１２】
本構成によれば、画像情報に比較的ノイズが多くなると考えられる場合（ＩＳＯ感度が比較的大きい場合）に、ノイズリダクション処理における補正の度合を、大きくするといったことが可能となる。そのため、ノイズリダクション処理を適切に実行することが容易となる。
【００１３】
また上記構成において、前記設定部は、前記画像情報が動画と静止画の何れであるかを判別し、この判別結果にも基づいて、前記ノイズリダクション処理における補正の度合を設定する構成としてもよい。
【００１４】
本構成によれば、画像情報が動画である場合（静止画である場合よりノイズが多くなると考えられる場合）に、ノイズリダクション処理における補正の度合を大きくするといったことが可能となる。そのため、ノイズリダクション処理をより適切に実行することが容易となる。
【００１５】
また上記構成において、前記調整部は、前記画質調整処理として、前記画像情報の表示におけるホワイトバランス調整の処理を実行するものであり、前記設定部は、前記Ｅｘｉｆ情報に含まれる撮影光源の情報に基づいて、前記ホワイトバランス調整における補正の度合を設定する構成としてもよい。
【００１６】
また上記構成において、自機周辺の明るさを複数色ごとに検出する検出部を備えており、前記調整部は、前記画質調整処理として、前記画像情報の表示におけるホワイトバランス調整の処理を実行するものであり、前記設定部は、前記検出部の検出結果に基づいて、前記ホワイトバランス調整における補正の度合を設定する構成としてもよい。これらの構成によれば、ホワイトバランス調整の処理を、より適切に実行することが容易となる。
【００１７】
また上記構成において、自機周辺の明るさを複数色ごとに検出する検出部を備えており、前記調整部は、前記画像情報の表示における色温度調整の処理を実行するものであり、前記設定部は、前記Ｅｘｉｆ情報に含まれる撮影光源の情報、および前記検出部の検出結果に基づいて、前記色温度調整における補正の度合を設定する構成としてもよい。本構成によれば、色温度調整の処理を、より適切に実行することが容易となる。
【発明の効果】
【００１８】
上述したように、本発明に係る画像表示装置によれば、画像情報を表示するにあたり、その画像情報についてのＥｘｉｆ情報に基づいて、画質の調整処理が実行される。そのため、Ｅｘｉｆ情報が利用されない場合に比べて、画質調整処理の内容を自動的に、かつ、できるだけ適切に設定することが容易となる。
【図面の簡単な説明】
【００１９】
【図１】本発明の実施形態に係る画像表示装置の構成図である。
【図２】調整内容設定処理に関するメニュー画面についての説明図である。
【図３】調整内容設定処理についてのフローチャートである。
【図４】Ｅｘｉｆ情報に関する説明図である。
【図５】ノイズリダクション処理に関する説明図である。
【図６】色温度調整処理に関する説明図である。
【発明を実施するための形態】
【００２０】
本発明の実施形態について、入力された画像信号の画像を表示させる画像表示装置を例に挙げて、以下に説明する。
【００２１】
画像表示装置１の詳細な構成について、図１を参照しながら説明する。本図に示すように、画像表示装置１は、デジタルチューナ１１、デジタル信号復調回路１２、ＭＰＥＧ２デコーダ１３、アナログチューナ２１、ＣＶＢＳ／Ｓ信号受信部２２、切替スイッチ２３、ＡＤコンバータ２４、カラーデコーダ２５、アナログコンポーネント信号入力部３１、ＡＤコンバータ３２、ＨＤＭＩ端子４１、ＨＤＭＩ信号受信部４２、デジタルセレクタ５１、ノイズリダクション部５２、ＩＰコンバータ５３、スケーラ５４、シャープネス処理部５５、画質調整部５６、ガンマ補正部５７、マトリクス部５８、ホワイトバランス調整部５９、パネル６０、ヒストグラム計測部６１、ＣＰＵ６２、ユーザインターフェース６３、およびＲＧＢセンサ６４などを備えている。
【００２２】
デジタルチューナ１１は、前段のアンテナによって受信された、地上デジタル放送、ＢＳデジタル放送、或いはＣＳデジタル放送の画像信号が入力される。そして入力された画像信号に対して所定チャンネルの信号を選局し、後段側に出力する。なおこの画像信号は、ＭＰＥＧ２による圧縮処理、および所定の変調処理が施されている。
【００２３】
デジタル信号復調回路１２は、デジタルチューナ１１側から伝送されてきた画像信号（変調された状態の信号）に対して、復調処理を施す。またＭＰＥＧ２デコーダ１３は、デジタル信号復調回路１２から伝送されてきた画像信号に対して、ＭＰＥＧ２による圧縮を解除する。
【００２４】
アナログチューナ２１は、前段のアンテナによって受信された、地上アナログ放送の画像信号が入力され、この入力された信号に対して選局処理を施す。またＣＶＢＳ／Ｓ信号入力部２２は、外部からＣＶＢＳ／Ｓの画像信号が入力される。また切替スイッチ２３は、アナログチューナ２１とＣＶＢＳ／Ｓ信号入力部２２の何れかを、後段側のＡＤコンバータ２４へ、切替可能に接続する。この切替は、ＣＰＵ６２によって制御される。
【００２５】
カラーデコーダ２５は、ＡＤコンバータ２４から伝送されてきた地上アナログ放送の信号、或いは、ＣＶＢＳ／Ｓ信号による画像信号を、Ｙ、Ｃｂ、およびＣｒの要素を含むデジタルのコンポーネント信号に変換する。
【００２６】
アナログコンポーネント信号入力部３１は、外部から、Ｙ、Ｃｂ、およびＣｒの要素を含むアナログのコンポーネント信号が入力される。当該アナログのコンポーネント信号は、後段側のＡＤコンバータ３２によって、デジタルのコンポーネント信号に変換される。
【００２７】
ＨＤＭＩ端子４１は、ＨＤＭＩケーブルを介して、外部機器（デジタルビデオカメラ等）との接続を可能とする端子である。ＨＤＭＩ端子４１を通じて、画像表示装置１は、外部機器とのＨＤＭＩ規格に準拠した通信（ＨＤＭＩ通信）を行うことが可能であり、外部機器から画像信号やＣＥＣ情報（ＣＥＣコマンド等）を受取ることが可能である。なお、ＨＤＭＩ端子４１への入力のうち、画像信号はＨＤＭＩ信号受信部４２に伝送され、ＣＥＣ情報は、ＣＰＵ６２に伝送される。またＨＤＭＩ信号受信部４２は、伝送されてきた画像信号を、Ｙ、Ｃｂ、およびＣｒの要素を含むデジタルのコンポーネント信号に変換する。
【００２８】
一方、デジタルセレクタ５１は、ＭＰＥＧ２デコーダ１３、カラーデコーダ２５、ＡＤコンバータ３２、およびＨＤＭＩ信号受信部４１の各々に接続されている。そしてこれらのうちの何れかを、後段側の回路に接続し、画像信号が後段側に伝送されるようにする。なお、何れが後段側の回路に接続されるかについては、ＣＰＵ６２によって制御される。
【００２９】
ノイズリダクション部５２は、デジタルセレクタ５１から伝送されてきた画像信号に対して、当該画像信号に含まれるノイズを低減させるための、ノイズリダクション処理を施す。このノイズリダクション処理は、例えば、画像中の画素間の輝度変化を滑らかにするための補正を、画像信号に施すことにより実現される。またノイズリダクション部５２は、画像信号が動画である場合には、時間軸方向のノイズを低減させるための補正を、画像信号に施すようになっていてもよい。
【００３０】
なお以下、ノイズリダクション処理における補正の度合を表す量を「ノイズリダクション量」と称することがある。ノイズリダクション量が大きい程、画像信号に含まれるノイズをより強力に抑えることができるが、補正後の画像と元の画像との差異も大きくなる。そのため通常、ノイズリダクション量は、画像信号に含まれるノイズの量に応じて、過不足無く設定されることが望まれる。
【００３１】
ＩＰコンバータ５３は、ノイズリダクション部５２から伝送されてきたインターレース方式の画像信号を、プログレッシブ方式の画像信号に変換するＩＰ変換処理を行う。なお伝送されてきた信号がプログレッシブ方式のものであれば、特に処理を行わない。
【００３２】
スケーラ５４は、ＩＰコンバータ５３から伝送されてきた画像信号の解像度を、パネル５９に適合した解像度に変換する。またシャープネス処理部５５は、スケーラ５４から伝送されてきた画像信号に対して、鮮鋭度を向上させるためのシャープネス処理を実行する。なおシャープネス処理自体は公知技術であり、例えば、水平方向と垂直方向について輝度信号の輪郭部分が強調されるように、画像信号が補正されることによって実現される。
【００３３】
画質調整部５６は、シャープネス処理部５５から伝送されてきた画像信号に対して、ブライト、コントラスト、カラー、およびティント等の調整を行う。なお、ホワイトバランスの調整処理や色温度の調整処理は、後述するホワイトバランス調整部５９で実行される。またガンマ補正部５７は、画質調整部５６から伝送されてきた画像信号に対して、ガンマ補正を実行する。
【００３４】
マトリクス部５８は、ガンマ補正部５７から伝送されてきたＹ／Ｃｂ／Ｃｒ形式の画像信号を、ＲＧＢ（赤、緑、青）形式の画像信号に変換する。
【００３５】
ホワイトバランス調整部５９は、マトリクス部５８から伝送されてきた画像信号に対して、ホワイトバランス調整の処理を施す。またホワイトバランス調整部５９は、パネル６０での表示における、色温度調整の処理をも実行するようになっている。ホワイトバランス調整や色温度調整は、画像の色調を補正すること等によって実現される。ホワイトバランス調整部５９から出力される画像信号は、パネル６０に伝送され、この画像信号が（画像信号に係る画像が）表示されることになる。
【００３６】
またヒストグラム計測部６１は、デジタルセレクタ５１からノイズリダクション部５２に伝送される画像信号について、輝度に関するヒストグラムを計測する。このヒストグラムの情報は、ＣＰＵ６２に伝送される。
【００３７】
ＣＰＵ６２は、画像表示装置１における各部の制御や、画像表示装置１の機能を発揮させるために必要な各種の処理を実行する。なお画像表示装置１において実行される主な処理の内容については、改めて説明する。
【００３８】
またユーザインターフェース６３は、例えばボタン式スイッチ等を備えており、ユーザによる各種の指示を受ける。これにより画像表示装置１は、ユーザの意図を反映させた処理を行うことが可能である。
【００３９】
ＲＧＢセンサ６４は、画像表示装置１の外面に設置されており、ＲＧＢ（赤・緑・青）の色ごとに受ける光の強さを検出し（つまり、画像表示装置１の周辺の明るさを複数色ごとに検出し）、その検出結果をＣＰＵ６２に伝送する。これによりＣＰＵ６２は、画像表示装置１の周囲、すなわち視聴者側の環境における光源（視聴光源）の種類を推測することが可能となっている。
【００４０】
上述した構成により画像表示装置１は、切替スイッチ２３やデジタルセレクタ５１の制御を通じて、画像信号の入力経路を切替える。つまり画像表示装置１は、デジタルチューナ１１、アナログチューナ２１、ＣＶＢＳ／Ｓ信号受信部２２、アナログコンポーネント信号入力部３１、およびＨＤＭＩ端子４１の何れか一つを、デジタルセレクタ５１の後段に接続する。そして画像表示装置１は、この接続によって形成された入力経路によって画像信号の入力を受付け、更に、入力された画像信号に所定の処理を施した上で、この画像信号の画像をパネル６０に表示する。
【００４１】
なお、画像信号の入力経路は、ユーザによる入力経路の切替指示（ユーザインターフェース６３の所定操作）がなされたときに、当該指示の通りに切替えられる。これによりユーザは、所望の入力経路に入力される画像信号の画像を、閲覧することができる。
【００４２】
そして画像表示装置１は、画像信号の入力経路が、ＨＤＭＩ端子４１を有する入力経路に切替えられたとき、デジタルビデオカメラ（ＤＶＣ）の画像の表示に関わる画質調整の内容を設定する処理（以下、「調整内容設定処理」と称する）を実行するようになっている。また画像表示装置１は、ユーザの指示に応じて図２に示すような画面（以下、「メニュー画面」と称することがある）を表示させ、ユーザによる調整内容設定処理に関する指示を適宜受付ける。
【００４３】
なおメニュー画面によれば、ユーザは、感度情報に連動したノイズリダクション処理を、「実行」とするか「不実行」とするかを指示することができる。またユーザは、光源情報に連動したホワイトバランス調整処理を、「実行」とするか「不実行」とするかを指示し、「実行」を指示した場合には、更に当該処理に、視聴光源を反映させるか否かを選ぶことができる。またユーザは、光源情報に連動した色温度調整処理を、「実行」とするか「不実行」とするかを指示し、「実行」を指示した場合には、更に当該処理に、視聴光源を反映させるか否かを選ぶことができる。このようなユーザの指示がどのよう活用されるかは、後述する説明で明らかとなる。
【００４４】
次に、調整内容設定処理の詳細な内容について、図３のフローチャートを参照しながら説明する。
【００４５】
画像信号の入力経路が、ＨＤＭＩ端子４１を有する入力経路に切替えられたら、まず画像表示装置１は、ＨＤＭＩ端子４１に接続されている外部機器から送信されるＨＤＭＩ＿ＡＶ＿ＩｎｆｏＦｒａｍｅの情報（以下、「ＨＤＭＩ−ＡＶ情報」と称する）に基づいて、外部機器が、ＤＶＣであるか否かを判断する（ステップＳ１）。その結果、外部機器がＤＶＣでないと判断されたら（ステップＳ１のＮ）、今回の調整内容設定処理は不要であるとみなし、調整内容設定処理を終了する。
【００４６】
一方、外部機器がＤＶＣであると判断されたら（ステップＳ１のＹ）、画像表示装置１は外部機器に対して、Ｅｘｉｆ［Exchangeable Image File Format］情報の送信を要求する（ステップＳ２）。なおこの要求は、ＨＤＭＩ規格におけるＣＥＣ［Consumer Electronics Control］の機能を利用して（ＣＥＣのラインを用いて）なされる。
【００４７】
なおＥｘｉｆ情報には、通常、例えば図４に示すように、種々の情報が含まれている。ここで「ＩＳＯ感度」の情報は、撮影における感度の値を表す情報であり、周知の通り、この値が大きい程、画像情報に含まれるノイズは多くなる傾向にある。またＥｘｉｆ情報に含まれている「撮影光源」の情報は、撮影時の光源の種類を表す情報（例えばユーザが撮影時の光源を判断し、設定しておく）であり、「昼光」や「白色蛍光灯」といった内容になっている。
【００４８】
その他、ここで挙げたＥｘｉｆ情報には、「撮影日および時刻」、「ファイル名」、「カメラ製造元」、「カメラモデル」、「焦点距離」、「絞り」、「レンズ開放値」、「撮影モード」、「使用レンズ」、および「フォーカスモード」などの情報が含まれている。なお画像表示装置１は、Ｅｘｉｆ情報の他に、画像情報が動画であるか静止画であるかの情報や、ＤＶＣ側で既にホワイトバランスの補正が実行されたかの情報などをも、ＣＥＣを利用して、外部機器に要求するようになっていてもよい。
【００４９】
Ｅｘｉｓ情報の送信を要求しても、外部機器からＥｘｉｆ情報を受信することができなかった場合（例えば、所定の制限時間内に、Ｅｘｉｆ情報が受信されなかった場合）には（ステップＳ３のＮ）、画像表示装置１は、今回の調整内容設定処理は実行不可であるとみなし、調整内容設定処理を終了する。
【００５０】
一方、外部機器からＥｘｉｆ情報を受信することができた場合には（ステップＳ３のＹ）、画像表示装置１は、メニュー画面においてノイズリダクション処理が「実行」になっているかを判断する（ステップＳ４）。その結果、「実行」になっている場合には（ステップＳ４のＹ）、画像表示装置１は、外部機器から受信したＥｘｉｆ情報に含まれる「ＩＳＯ感度」の情報に基づいて、ノイズリダクション処理の内容を設定する。
【００５１】
より具体的には、画像表示装置１は、ＩＳＯ感度の値が大きい程、ノイズリダクション量を大きく設定する。なお、ＩＳＯ感度の値が大きい程、画像に含まれるノイズが多くなる傾向にあることは、周知の事実である。そのため、このようにしてノイズリダクション量が設定されると、ノイズの量に見合った内容のノイズリダクション処理を実現することが可能となる。
【００５２】
また上述した態様の他、例えば、ＩＳＯ感度の値が所定閾値を超えているか否かに応じて、ノイズリダクション処理の実行／不実行が切替えられるようになっていても良い。このようにすれば、ノイズが比較的多く含まれると考えられる（ＩＳＯ感度の値が大きい）場合にのみ、ノイズリダクション処理を実行させるということが可能となる。これにより、ノイズリダクション処理の実行頻度を、必要最小限に抑えることが可能となる。
【００５３】
また、外部機器から受信したＨＤＭＩ−ＡＶ情報などに基づいて、外部機器から受信する画像信号が静止画と動画の何れであるかが判別され、この判別結果にも基づいて、ノイズリダクション量が設定されたり、ノイズリダクション処理の実行／不実行が切替えられたりするようになっていても良い。なお一般的に、撮影画像は、静止画である場合よりも動画である場合の方が、ノイズが多く含まれる傾向にある。
【００５４】
画像信号が静止画と動画の何れであるかに応じてノイズリダクション量が設定される場合、ノイズリダクション量は、例えば図５に示す通りに設定される。すなわちＩＳＯ感度の値が大きい程、ノイズリダクション量は大きく設定されるとともに、静止画である場合よりも動画である場合の方が、ノイズリダクション量は大きく設定される。なお、図５に示す「Ｍｉｎ」は、画像表示装置１において設定可能なノイズリダクション量の最小値を表し、「Ｍａｘ」は、同じく最大値を表している。
【００５５】
そしてステップＳ５の処理が完了した場合には、画像表示装置１は次に、メニュー画面においてホワイトバランス調整処理が「実行」になっているかを判断する（ステップＳ６）。
【００５６】
なお、メニュー画面においてノイズリダクション処理が「不実行」となっている場合は（ステップＳ４のＮ）、感度情報に連動したノイズリダクション処理は実行されないように設定され、ステップＳ６の処理が実行される。また、ステップＳ５の処理が実行不可であった場合（例えば、Ｅｘｉｆ情報に、ＩＳＯ感度情報が含まれていなかった場合等）には、ステップＳ５の処理は省略され、ステップＳ６の処理が実行される。
【００５７】
ステップＳ６の処理において、「実行」になっていると判断された場合には（ステップＳ６のＹ）、画像表示装置１は、外部機器から受信したＥｘｉｆ情報に含まれる「撮影光源」の情報に基づいて、ホワイトバランス調整処理の内容を設定する（ステップＳ７）。例えば、画像表示装置１内に予め登録されているホワイトバランス調整に関するデータベース（光源の種類ごとに、ホワイトバランス調整における補正量が定められているもの）に基づいて、撮影光源の情報に対応している補正量を判別し、この値をホワイトバランス調整処理の補正量（補正の度合）として設定する。これにより、撮影光源に応じた、適切なホワイトバランス調整が実現される。
【００５８】
一方、メニュー画面において、ホワイトバランス調整処理について「視聴光源を反映させる」となっている場合、画像表示装置１は上述した処理を行う代わりに、視聴光源の情報に基づいて、ホワイトバランス調整処理の内容を設定する。より具体的には、画像表示装置１は、ＲＧＢセンサ６４を通じて各色の明るさを測定し、この測定結果を用いて、視聴光源の種類を推定する。
【００５９】
そして、例えばホワイトバランス調整に関するデータベースに基づいて、推定された視聴光源に対応している補正量を判別し、この値をホワイトバランス調整処理の補正量（補正の度合）として設定する。なお、このような態様とする代わりに、視聴光源の内容と反比例のホワイトバランスにするように、ホワイトバランス調整処理の内容が設定されるようにしても良い。
【００６０】
このような設定がなされることにより、視聴環境に応じた、適切なホワイトバランス調整が実現される。なお、撮影光源の情報に基づいたホワイトバランス調整処理の内容の設定が、実行不可である場合（例えば、Ｅｘｉｆ情報に撮影光源の情報が含まれていない場合）には、自動的に、視聴光源の内容に基づいて、ホワイトバランス調整の内容が設定されるようにしても良い。
【００６１】
そしてステップＳ７の処理が完了した場合には、画像表示装置１は次に、メニュー画面において色温度調整処理が「実行」になっているかを判断する（ステップＳ８）。
【００６２】
なお、メニュー画面においてホワイトバランス調整処理が「不実行」となっている場合には（ステップＳ６のＮ）、光源情報に連動したホワイトバランス調整処理は実行されないように設定され、ステップＳ８の処理が実行される。また、外部機器側で、ホワイトバランスの調整処理が実行済みであるような場合には、ステップＳ７の処理が省略され、ステップＳ８の処理が実行されるようになっていてもよい。
【００６３】
ステップＳ８の処理において、「実行」になっていると判断された場合には（ステップＳ８のＹ）、画像表示装置１は、外部機器から受信したＥｘｉｆ情報に含まれる「撮影光源」の情報に基づいて、色温度調整処理の内容を設定する（ステップＳ９）。例えば、画像表示装置１内に予め登録されている色温度調整に関するデータベース（光源の種類ごとに、対応する色温度が定められているもの）に基づいて、撮影光源の情報に対応している色温度を判別し、この値を、色温度調整処理の目標値として設定する。
【００６４】
これにより、撮影光源に応じた、適切な色温度調整が実現される。またこのように目標値が設定される場合、色温度調整における補正量（補正の度合）は、撮影光源の情報に基づいて設定されると見ることもできる。
【００６５】
なお色温度調整に関するデータベースは、例えば、図６に示すようなテーブル情報（ＬＵＴ）として構成される。当該データベースによれば、例えば光源が「昼光」であれば、この光源に対応する色温度は、６０００Ｋであることが示されている。
【００６６】
一方、メニュー画面において、色温度調整処理について「視聴光源を反映させる」となっている場合には、画像表示装置１は上述した処理を行う代わりに、視聴光源の情報をも反映させて、色温度調整処理の内容を設定する。より具体的には、画像表示装置１は、まずＲＧＢセンサ６４を通じて各色の明るさを測定し、この測定結果を用いて、視聴光源の種類を推定する。
【００６７】
そして、撮影光源に対応する色温度と視聴光源に対応する色温度との平均値を算出し、この算出された値を、色温度調整処理の目標値として設定する。例えば、撮影光源の情報が「白熱球」（対応する目標値は「３０００Ｋ」）であり、視聴光源の情報が「昼光」（対応する目標値は「６０００Ｋ」）である場合には、算出される値は、
（３０００Ｋ＋６０００Ｋ）／２  ＝  ４５００Ｋ
となるから、「４５００Ｋ」が、色温度調整処理の目標値として設定されることになる。
【００６８】
これにより、撮影環境と視聴環境のバランスを考慮した、適切な色温度調整が実現される。なおこのように目標値が設定される場合、色温度調整における補正量（補正の度合）は、撮影光源の情報および視聴光源の情報（ＲＧＢセンサ６４の検出結果）に基づいて設定されると見ることもできる。また、Ｅｘｉｆ情報に光源情報が含まれていないような場合には、自動的に、視聴光源のみの情報に基づいて、色温度調整の内容が設定されるようにしても良い。
【００６９】
ステップＳ９の処理が完了した場合、画像表示装置１は、一連の調整内容設定処理を終了する。なお、光源情報に連動した色温度調整処理が「不実行」に設定されている場合（ステップＳ８のＮ）には、光源情報に連動した色温度調整処理が実行されないように設定され、一連の調整内容設定処理が終了される。調整内容設定処理が終了された後、画像表示装置１は、画像信号の入力経路が、ＨＤＭＩ端子４１を有する入力経路以外のものに切替えられるまで、外部機器から伝送される画像信号をパネル６０に表示させることになる。
【００７０】
このとき画像表示装置１は、調整内容設定処理での設定内容に従って、感度情報に連動したノイズリダクション処理、ならびに、光源情報に連動したホワイトバランス調整処理や色温度調整処理を実行する。なお画像表示装置１においては、外部機器から伝送されるＥｘｉｆ情報などを継続的に監視し、ＩＳＯ感度の情報や撮影光源の情報が変動した場合、若しくは画像情報の種類（動画か静止画か）が変動した場合などにおいては、その都度、調整内容設定処理が実行されるようになっていても良い。
【００７１】
上述したように画像表示装置１は、複数の入力経路の何れかを通じて取得した画像情報を表示するようになっている。また画像表示装置１は、画像情報およびこの画像情報に対応したＥｘｉｆ情報を、ＨＤＭＩ通信によって外部機器から取得する機能、この画像情報の表示に関わる画質調整処理を行う機能、および、当該取得したＥｘｉｆ情報に基づいて、画質調整処理（ノイズリダクション処理、ホワイトバランス調整の処理、および色温度調整の処理など）の内容を設定する機能を備えている。
【００７２】
そのため画像表示装置１によれば、画像情報を表示するにあたり、その画像情報についてのＥｘｉｆ情報に基づいて、画質調整処理が実行される。そのため、Ｅｘｉｆ情報が利用されない場合に比べて、画質調整処理の内容を自動的に適切に設定することが容易となっている。
【００７３】
なお、ステップＳ５の処理によれば、Ｅｘｉｆ情報に含まれるＩＳＯ感度の情報に基づいて、ノイズリダクション処理における補正の度合（ノイズリダクション量）が設定されることになる。またステップＳ７の処理によれば、Ｅｘｉｆ情報に含まれる撮影光源の情報、或いは、視聴光源の情報（ＲＧＢセンサ６４の検出結果）に基づいて、ホワイトバランス調整処理における補正の度合が設定されることになる。またステップＳ９の処理によれば、Ｅｘｉｆ情報に含まれる撮影光源の情報、或いは、撮影光源の情報と視聴光源の情報（ＲＧＢセンサ６４の検出結果）に基づいて、色温度調整処理における補正の度合が設定されることになる。
【００７４】
以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【００７５】
本発明は、外部機器から入力された画像を表示する、画像表示装置などに利用することができる。
【符号の説明】
【００７６】
１    画像表示装置
１１    デジタルチューナ
１２    デジタル信号復調回路
１３    ＭＰＥＧ２デコーダ
２１    アナログチューナ
２２    ＣＶＢＳ／Ｓ信号入力部
２３    切替スイッチ
２４    ＡＤコンバータ
２５    カラーデコーダ
３１    アナログコンポーネント信号入力部
３２    ＡＤコンバータ
４１    ＨＤＭＩ端子
４２    ＨＤＭＩ信号受信部
５１    デジタルセレクタ
５２    ノイズリダクション部
５３    ＩＰコンバータ
５４    スケーラ
５５    シャープネス処理部
５６    画質調整部
５７    ガンマ補正部
５８    マトリクス部
５９    ホワイトバランス調整部
６０    パネル
６１    ヒストグラム計測部
６２    ＣＰＵ
６３    ユーザインターフェース
６４    ＲＧＢセンサ
【図１】
2010278530.tif 000003
【図２】
2010278530.tif 000004
【図３】
2010278530.tif 000005
【図４】
2010278530.tif 000006
【図５】
2010278530.tif 000007
【図６】
2010278530.tif 000008